(57)【要約】【課題】装置本体に対するホッパの着脱作業を容易に、かつ能率よく行う。【解決手段】コイン送出装置Ａは、コインを受け入れるホッパ２と、ホッパ２の底部コインを受け入れて外部へ送り出す送出機構５を装着した装置本体６と、装置本体６のベース版（ホッパ取付部）８にホッパ２を着脱自在に固定する固定手段２６とを備えている。固定手段２６は、ホッパ２の底部３に設けられ、ベース版８に設けた突起部（係止部）１４に係止されるフック部材１２と、ベース版８に軸部２０で回動可能に支持され、ホッパ２の底部３のフランジ１３に係合してホッパ２をベース版８に固定させるフック片部１８およびフック片部１８とフランジ１３との係合を解除する回動操作を行う操作片部１７を設けた固定具１５と、固定具１５をフック片部１８がフランジ１３に係合する方向へ常時付勢するばね（ばね）２４とを備えている。【選択図】        図２
2004326418.tif 000002
【特許請求の範囲】
【請求項１】
上部の開口から内部にコインを受け入れるホッパと、該ホッパの底部の開口からホッパ内のコインを受け入れて外部へ送り出す送出機構を装着した装置本体と、該装置本体のホッパ取付部に前記ホッパを着脱自在に固定する固定手段とを設けたコイン送出装置において、
前記固定手段は、前記ホッパの底部の一端側において外部に突出して設けられ、前記ホッパ取付部の一端側に設けられた係止部に係合されるフック部材と、前記ホッパ取付部の他端側に回動可能に支持され、前記ホッパの底部の他端側に設けたフランジに係合して前記ホッパの底部を前記ホッパ取付部に固定させるフック片部および該フック片部と前記フランジとの係合を解除する回動操作を行う操作片部を設けた固定具と、該固定具と前記ホッパ取付部とに掛け渡され、前記固定具のフック片部が前記フランジに係合する方向へ常時付勢するばねとを備えていることを特徴とするコイン送出装置。
【請求項２】
前記ホッパの底部のフランジには、前記フック部材と前記ホッパ取付部の係止部とを係合して、該係合部を支点にして、前記フランジを前記ホッパ取付部の他端側に当接するまで旋回移動させるとき、前記フック片部に当接して該フック片部をその前記フランジとの係合を解除する方向へ前記固定具を回動させる操作部材が設けられていることを特徴とする請求項１に記載のコイン送出装置。
【請求項３】
前記固定具が個別に回動操作可能に２個並設されていることを特徴とする請求項１または２に記載のコイン送出装置。
【発明の詳細な説明】
【０００１】
【発明の属する技術分野】
本発明は、遊技用機械であるスロットマシン等に設備されて、メダル、コイン（以下、両者を「コイン」と総称する）を不揃いで受け入れたホッパから１個ずつ整列して外部へ送り出すコイン送出装置に関するものである。
【０００２】
【従来の技術】
この種のコイン送出装置として、図５に示すように、上部の開口１から内部にコインＫを受け入れるホッパ２と、該ホッパ２の底部３の開口４からホッパ２内のコインＫを受け入れて外部へ送り出す送出機構５を装着した装置本体６とを備えたものが知られている（例えば、特許文献１参照）。そして、前記ホッパ２は、その底部の一端側のフック部材７を装置本体６のベース版（ホッパ取付部）８に設けた係止部９に係合させ、ホッパ２の底部３の他端側に設けたフランジ１０を前記ベース版８の他端側に一対の取付ねじ１１で固定させることにより、装置本体６に着脱可能に取り付ける構造が採用されている。
【０００３】
【特許文献１】
実用新案登録第３０４７３９５号公報
【０００４】
【発明が解決しようとする課題】
前記コイン送出装置においては、前記ホッパ２内に混入してホッパ２の底部３の開口４と送出機構５との間に噛み込んだ異物を取り除いて掃除をしたり、送出機構部の点検等をするために、屡々前記ホッパ２を装置本体６から取り外す作業を行う。その際、前記従来のコイン送出装置のように、前記ホッパ２を取付ねじ１１で装置本体６に取り付けるものでは、該取付ねじ１１の締め、緩め操作が面倒であり、時間がかかり、装置本体６に対するホッパ２の着脱作業が能率よく行えない不満があった。  また、取付ねじ１１が緩んで装置本体６から外れてしまうことがあった。
【０００５】
本発明は、上記事情に鑑みてなされたものであって、装置本体に対するホッパの着脱作業を容易に、かつ能率よく行えるコイン送出装置を提供することを目的とする。
【０００６】
【課題を解決するための手段】
本発明は、前記課題を解決するために、以下の点を特徴としている。
すなわち、請求項１に係るコイン送出装置は、上部の開口から内部にコインを受け入れるホッパと、該ホッパの底部の開口からホッパ内のコインを受け入れて外部へ送り出す送出機構を装着した装置本体と、該装置本体のホッパ取付部に前記ホッパを着脱自在に固定する固定手段とを設けたコイン送出装置において、前記固定手段は、前記ホッパの底部の一端側において外部に突出して設けられ、前記ホッパ取付部の一端側に設けられた係止部に係合されるフック部材と、前記ホッパ取付部の他端側に回動可能に支持され、前記ホッパの底部の他端側に設けたフランジに係合して前記ホッパの底部を前記ホッパ取付部に固定させるフック片部、および該フック片部と前記フランジとの係合を解除する回動操作を行う操作片部を設けた固定具と、該固定具と前記ホッパ取付部とに掛け渡され、前記固定具のフック片部が前記フランジに係合する方向へ常時付勢するばねとを備えていることを特徴としている。
【０００７】
また、請求項２に係るコイン送出装置は、請求項１に記載のコイン送出装置において、前記ホッパの底部のフランジには、前記フック部材と前記ホッパ取付部の係止部とを係合して、該係合部を支点にして、前記フランジを前記ホッパ取付部の他端側に当接するまで旋回移動させるとき、前記フック片部に当接して該フック片部をその前記フランジとの係合を解除する方向へ前記固定具を回動させる操作部材が設けられていることを特徴としている。
【０００８】
また、請求項３に係るコイン送出装置は、請求項１または２に記載のコイン送出装置において、前記固定具が個別に回動操作可能に２個並設されていることを特徴としている。
【０００９】
【発明の実施の形態】
以下、本発明の一実施の形態に係るコイン送出装置を図１〜図４を参照して説明する。  なお、従来のコイン送出装置と同一または同様な部分には同一の符号を付して説明する。
図１〜図４において、Ａは本発明の一実施の形態に係るコイン送出装置である。このコイン送出装置Ａは、上部の開口１から内部にコインＫを受け入れるホッパ２と、該ホッパ２の底部３の開口４からホッパ２内のコインＫを受け入れて出口５ａから外部へ送り出す送出機構５を装着した装置本体６とを備えている。装置本体６は、一端側（図１，図２で左端側）が高く、他端側が低くなるように上面が傾斜した箱状に形成され、該上面にベース版（ホッパ取付部）８が固定され、該ベース版８にモータ、減速機、コイン送り円板等からなる周知の前記送出機構５が取り付けられている。
【００１０】
前記ホッパ２の底部３は、皿状底部３ａと前記装置本体６の他端側において皿状底部３ａの下に連通して結合された傾斜状の円筒状底部３ｂとからなり、該円筒状底部３ｂに設けた前記開口４が前記送出機構５のコイン送り円板（図示せず）に対面されている。そして、前記ホッパ２の皿状底部３ａの一端側の下面（外部）には、フック部材１２が、その係止突起部１２ａを装置本体６の他端側（図１、図２で右端側）に向け、かつ前後方向（図１、図２で紙面に垂直な方向）に延長して固定されている。また、前記円筒状底部３ｂの下端には、前記装置本体６の上面の傾斜に整合するように傾斜させて外周部が、前記装置本体６の上面の形状に合わせた四角形状としたフランジ１３が前記開口４を開放した状態で固定されている。
【００１１】
前記ベース版８の一端側には、前記ホッパ２におけるフック部材１２の係止突起部１２ａを引っ掛ける（係合させる）突起部（係止部）１４が、装置本体６の他端側と反対の方向に向け、かつ前後方向（図１、図２で紙面に垂直な方向）に延長して形成されている。そして、前記装置本体６の他端側の上部には、前記フランジ１３をベース版８の上面８ａに固定（係止）およびその固定を解除する固定具１５が取り付けられている。
前記固定具１５は、前後方向（図１、図２で紙面に垂直な方向、図３で左右方向）に延長された主体部１６と、該主体部１６の上端部の中央に上に向けて突出させて設けた操作片部１７と、主体部１６の上端部の両側（図３で左右側）に装置本体６の一端側に向けて略直角に設けた一対のフック片部１８，１８と、前記主体部１６の両端下部において装置本体６の一端側へ向けて突出して設けた支持片部１９，１９と、該支持片部１９に一体に設けられ、互いに対向する側（主体部１６の中央側）へ向けて突出させた軸部２０，２０と、前記主体部１６の中央から両側の対称位置において主体部１６における装置本体６の一端側の面に設けたばね止め片２１とを備えている。
【００１２】
前記ベース版８における装置本体６の他端側の両端部（図３で左右端部）側には、下方に突出して軸受片２２，２２が設けられ、該軸受片２２，２２は装置本体６の他端側の両端部に設けた開口部６ａ，６ａに臨ませられ、かつ外端面を装置本体６の一端面６ｂと面一にされている。前記軸受片２２，２２には、前後方向（図１で紙面に垂直な方向、図３で左右方向）に向けて軸穴２２ａ，２２ａが設けられており、軸受片２２，２２の外側において前記開口部６ａ，６ａ内に挿入された固定具１５の支持片部１９，１９の軸部２０，２０が前記軸穴２２ａ，２２ａに嵌合され、前記固定具１５が、前記軸部２０，２０を中心にして、前記フック片部１８，１８を前記フランジ１３の端部に係合させる位置と、その係合を解除する位置との間で回動する（図１、図２で左右方向に、図３で紙面に垂直な方向に回動する）ようになっている。
また、前記ベース版８の裏面には、一対のばね止め棒２３，２３が、装置本体６の前後方向（図１、図２で紙面に垂直な方向、図３の左右方向）の中央から両側に対称に離れた位置に固定されており、該ばね止め棒２３，２３と前記固定具１５の主体部１６のばね止め片２１，２１とに引張ばね（ばね）２４、２４が掛け渡されており、前記固定具１５がそのフック片部１６を常時前記ホッパ２のフランジ１３に係合する方向へ付勢している。
【００１３】
また、前記フランジ１３の下面（前記ベース版８の上面８ａに当接する面）には、装置本体６の他端側に相当する面が該他端部と反対側へ後退するように傾斜させた係合面２５ａを有する一対の操作部材２５，２５が、装置本体６の前後方向（図１、図２で紙面に垂直な方向、図３の左右方向）の中央から両側に対称に離れた位置に固定して設けられており、前記ホッパ２のフック部材１２と前記ベース版８の突起部１４とを係合して、該係合部を支点にして、前記フランジ１３を前記ベース版８の他端側の上面８ａに当接するまでハ矢方向に旋回移動させるとき、前記固定具１５のフック片部１８，１８に当接して該フック片部１８，１８を前記フランジ１３との係合を解除する方向へ前記固定具１５を回動させるようになっている。前記ホッパ２のフック部材１２、前記固定具１５、前記ベース版８の突起部１４、前記引張ばね２４等が、装置本体６のベース版８に前記ホッパ２を着脱自在に固定する固定手段２６を構成している。
【００１４】
前記実施の形態に係るコイン送出装置Ａにおいては、従来のコイン送出装置と同様に、前記ホッパ２の内部に投入されたコインＫは、装置本体６に装着された送出機構５の動作によって、ホッパ２の円筒状底部３ｂの開口４から１個ずつ前記装置本体６のベース版８の出口５ａから外部へ送り出される。このコインＫの送り出し中に、前記円筒状底部３ｂの開口４と前記送出機構５のコイン送り円板との間に、ホッパ２内に混入された異物等が噛み込まれた場合には、前記送出機構５を停止させた後前記装置本体６から前記ホッパ２を取り外して、前記異物を除去してホッパ２内や送出機構の清掃、点検を行う。これらの作業が終了した後は、再びホッパ２を装置本体６に装着する。
【００１５】
前記において、装置本体６からホッパ２を取り外す場合は、前記固定具１５の操作片部１に手の指を掛けて固定具１５を外側（図２で右側、ニ矢方向）へ回動させて、フック部材１２とベース版８との係合部を支点にして、前記ホッパ２を前記ベース版８に対して旋回移動させると、フック片部１８が前記フランジ１３との係合を解除されるので、ホッパ２を前記係合部を支点にして図２で反時計方向による旋回させた後、前記ベース版８からフック部材１２を外す（離脱させる）ことにより、ホッパ２を装置本体６から取り外すことができる。また、装置本体６にホッパ２を装着する場合は、前記フック部材１２をベース版８の突起部１４に係合させ、該係合部を支点にして、ホッパ２を図２で時計方向へ、図２で鎖線で示す状態から前記フランジ１３がベース版８の一端側（図２で右端部側）へ当接するまで旋回させると、フランジ１３の操作部材２５が、その係合面２５ａを固定具１５のフック片部１８に当接して、前記引張ばね２４の付勢力に抗して固定具１５を軸部２０を支点にして外側へ回動させて、前記フランジ１３のフック片部１８からの通過を許容し、その通過後、固定具１５が前記引張ばね２４の付勢力で反時計方向へ回動する。これにより、前記フック片部１８が自動的にフランジ１３に係合して該フランジ１３が前記ベース版８に固定され、装置本体６にホッパ２を簡単に装着することができる。なお、前記固定具１５の主体部１６の両端側の下部にはストッパ部１６ａ，１６ａが設けられており、該ストッパ１６ａ，１６ａが前記軸受片２２，２２に当接して、固定具１５の外側への過回動を防止することができる。
【００１６】
このように、前記実施の形態に係るコイン送出装置Ａによれば、前記ホッパ２を、前記フック部材１２とベース版８の突起部（係止部）１４との係合部を支点にして、前記フランジ１３がベース版８側へ移動するように旋回させるだけで、前記固定具１５を手で旋回操作することなく、装置本体６に対して極めて容易に装着、固定させることができる。また、前記固定具１５を手で外側へ回動させるだけで前記フック片部１８の前記フランジ１３との係合を解除することができ、前記装置本体６からホッパ２を簡単に取り外すことができる。
したがって、従来のコイン送出装置のように、取付ねじによる煩わしい締め付け操作を行う必要がなく、装置本体６に対するホッパ２の着脱作業をワンタッチで容易に、かつ能率よく行うことができる。また、前記取付ねじが緩んで装置本体６から外れてしまうといった問題も起こらない。
【００１７】
なお、前記実施の形態のコイン送出装置Ａにおいては、前記固定具１５を一つの部材として構成したが、該固定具１５を前記操作片部１７の中央Ｃで２分割して、２個の固定具１５を前記装置本体６に並設して、前記フック片部１８と前記フランジ１３との係合およびその解除を、それらの固定具１５，１５の個別の回動操作によって行うようにしてもよい。このようにすると、両方の固定具１５が同時に前記フランジ１３との係合を解除されない限り、装置本体６から前記ホッパ２が外れることがないので、誤って一方の固定具１５の操作片部１７に手が触れて解除方向に固定具１５が回動しても、他方の固定具１５がホッパ２の装置本体６への装着を維持することができ、不用意に装置本体６から前記ホッパ２が外れるのを確実に防止することができる。この場合、各固定具１５，１５はそれぞれ２個所で軸受けされるようにする。各固定具１５，１５は、装置本体６にホッパ２を装着するときは、前記フランジ１３の作動部材２５，２５で自動的に同時に回動される。両方の固定具１５を同時に前記フランジ１３との係合を手で解除する場合には、両者の操作片部１７，１７に同時に手をかけてニ矢方向に回動操作すればよい。
【００１８】
また、前記ホッパ２に設けた前記フランジ１３の下面に固定した操作部材２５は省略することもできる。この場合には、装置本体６に対するホッパ２の着脱の際には、前記フランジ１３に対する固定具１５のフック片部１８の係合およびその解除の両方を、手で前記操作片部１７を動かして固定具１５を回動操作することにより行う。この場合も、従来のコイン送出装置ように、ねじによる煩わしい締め付け操作を行う必要がなく、装置本体６に対するホッパ２の着脱作業を容易に、かつ能率よく行うことができる。
前記フランジ１３におけるホッパ２の円筒状底部３ｂの両側に、前記フック片部１８，１８と略同一厚さのフランジ部材（フック片部受動防止部材）２７，２７を、前記フック片部１８，１８の先端に当接または近接するように固定すると、前記フック片部１８，１８の先端が手に触れて不用意に前記フランジ１３との係合が解除されるような事態を未然に防ぐことができる。前記フランジ部材２７に代えて、図４に鎖線で示すように、前記フック片部２７，２７の先端に沿って設けた棒状のフック片部受動防止部材２７ａ，２７ａを設けるようにしてもよい。
【００１９】
【発明の効果】
以上説明したように、本発明によれば以下のような優れた効果を奏する。
請求項１に係るコイン送出装置によれば、装置本体のホッパ取付部にホッパを着脱自在に固定する固定手段を、前記ホッパの底部の一端側において外部に突出して設けられ、前記ホッパ取付部の一端側に設けられた係止部に係合されるフック部材と、前記ホッパ取付部の他端側に回動可能に支持され、前記ホッパの底部の他端側に設けたフランジに係合して前記ホッパの底部を前記ホッパ取付部に固定させるフック片部および該フック片部と前記フランジとの係合を解除する回動操作を行う操作片部を設けた固定具と、該固定具と前記ホッパ取付部とに掛け渡され、前記固定具のフック片部が前記フランジに係合する方向へ常時付勢するばねとを備えた構成とされているので、前記フック部材とホッパ取付部との係合、離脱操作と、フック部材とホッパ取付部との係合部を支点にして、前記ホッパを前記ホッパ取付部に対して旋回移動させる操作と、前記固定具を回動させる操作とにより、装置本体に対してホッパを着脱させることができる。
したがって、従来のコイン送出装置のように、ねじによる煩わしい締め付け操作を行う必要がなく、装置本体に対するホッパの着脱作業を容易に、かつ能率よく行うことができる。
【００２０】
請求項２に係るコイン送出装置によれば、ホッパの底部のフランジに、フック部材と装置本体のホッパ取付部の係止部とを係合して、該係合部を支点にして、前記フランジを前記ホッパ取付部の他端側に当接するまで旋回移動させるとき、固定具のフック片部に当接して該フック片部をその前記フランジとの係合を解除する方向へ前記固定具を回動させる操作片部を設けた構成とされているので、前記ホッパを、前記係合部を支点にして、前記フランジが前記ホッパ取付部側へ移動するように旋回させるだけで、前記固定具を手で旋回操作することなく、装置本体に対してワンタッチで極めて容易に装着、固定させることができる。
【００２１】
請求項３に係るコイン送出装置によれば、固定具を個別に回動操作可能に２個並設した構成とされているので、誤って一方の固定具の操作片部に手が触れて前記解除方向に固定具が回動しても、他方の固定具がホッパの装置本体への装着を維持することができ、不用意にホッパが装置本体から外れてしまうのを確実に防止することができる。
【図面の簡単な説明】
【図１】本発明の一実施の形態に係るコイン送出装置を示す正面図である。
【図２】本発明の一実施の形態に係るコイン送出装置の要部を示す正面図である。
【図３】図２のイ矢視図である。
【図４】図２のロ矢視図である。
【図５】従来のコイン送出装置を示す斜視図である。
【符号の説明】
１，４  開口
２  ホッパ
３  底部
５  送出機構
６  装置本体
７，１２  フック部材
８  ベース版（ホッパ取付部）
１０，１３  フランジ
１４  突起部（係止部）
１５  固定具
１６  主体部
１７  操作片部
１８  フック片部
２４  引張ばね（ばね）
２５  操作部材
２６  固定手段
【図１】
2004326418.tif 000003
【図２】
2004326418.tif 000004
【図３】
2004326418.tif 000005
【図４】
2004326418.tif 000006
【図５】
2004326418.tif 000007